(57)【要約】【課題】簡便な構造で、かつ安価にフィルム二重張り構造が実現できるビニルハウス用扉を提供する。【解決手段】ビニルハウスの出入口にスライド自在に取付けられるビニルハウス用扉であって、骨部材を組合せて矩形形状の枠体を構成し、前記縦枠の外側面に、所定のフィルム止め手段により外側樹脂フィルムを張設するとともに、前記骨部材の内側面には、長手方向へ伸延する溝孔部を形成し、この溝孔部に、当該溝孔部との間で前記樹脂フィルムを挟圧保持するフィルム押さえ板を取付けて内側樹脂フィルムを張設してフィルム二重張り構造とした。【選択図】図８
2008005799.tif 000002
【特許請求の範囲】
【請求項１】
ビニルハウスの出入口にスライド自在に取付けられるビニルハウス用扉であって、
骨部材を組合せて矩形形状の枠体を構成し、前記縦枠の外側面に、所定のフィルム止め手段により外側樹脂フィルムを張設するとともに、前記骨部材の内側面には、長手方向へ伸延する溝孔部を形成し、この溝孔部に、当該溝孔部との間で前記樹脂フィルムを挟圧保持するフィルム押さえ板を取付けて内側樹脂フィルムを張設してフィルム二重張り構造としたことを特徴とするビニルハウス用扉。
【請求項２】
前記内側樹脂フィルムが張設された骨部材を、前記枠体を構成する縦枠としたことを特徴とする請求項１記載のビニルハウス用扉。
【請求項３】
前記フィルム押さえ板は、前記溝孔部に嵌まり込む一対の脚片部と、同脚片部の基端同士を連接するとともに、各脚片部の外側方へ先端を伸延させたカバー部とを有し、前記脚片部に、前記溝孔部の側縁に形成され、前記骨部材の内部側に突出する凸状端縁に係合する係合部を形成したことを特徴とする請求項１又は２に記載のビニルハウス用扉。
【請求項４】
前記カバー部の左右縁部に、先端をそれぞれ外側方へ伸延させた第１伸延端部と第２伸延端部を形成し、前記第２伸延端部を前記カバー部の中心よりも高く段状に形成するとともに、前記第１伸延端部よりも長く形成したことを特徴とする請求項３記載のビニルハウス用扉。
【請求項５】
前記フィルム押さえ板のカバー部は、当該フィルム押さえ板を前記骨部材の内側面に形成した溝孔部に嵌合した状態で、前記内側面からの突出厚みを０．５〜２．０ｍｍの範囲内に収めたことを特徴とする請求項３又は４に記載のビニルハウス。
【発明の詳細な説明】
【技術分野】
【０００１】
この発明は、ビニルハウス用扉に関するものである。
【背景技術】
【０００２】
従来、複数の金属製パイプ状骨部材間に、樹脂フィルムからなるシートを張設して構築された農業用のビニルハウスが知られており、かかるビニルハウスにおいて、例えば、屋根部や側壁の樹脂フィルムを二重に張設して、内外のフィルム間に形成される空気層によって断熱効果を高めたものがあった。
【０００３】
例えば、屋根又は側壁の少なくとも一部を二重フィルムで被覆し、この二重フィルムの間隙に送風機により空気を吹き込んで空気層を形成し、前記空気層に連通する排気孔を設けて、この排気孔に前記空気層内の圧力が所定値を超えたときに開く弁体を取付けたものがある(例えば、特許文献１を参照。)。
【特許文献１】特開２００５−２６９９６３号公報
【発明の開示】
【発明が解決しようとする課題】
【０００４】
ところが、上述したように、ビニルハウスを二重フィルム構造とすることは提案されているものの、ビニルハウスに設けられる扉について二重フィルム張り構造としたものは存在しない。
【０００５】
従来の技術を適用しようとしても、上記特許文献１のような構成では、構造が複雑になりすぎ、扉に適用することは殆ど不可能である。
【０００６】
また、通常、扉はハウス妻面の内側に設けられていることから、扉についてその開閉に支障をきたすことなくフィルム二重張り構造とすることが容易ではなかった。
【０００７】
本発明は、上記課題を解決することのできるビニルハウス用扉を提供することを目的としている。
【課題を解決するための手段】
【０００８】
（１）請求項１記載の本発明は、ビニルハウスの出入口にスライド自在に取付けられるビニルハウス用扉であって、骨部材を組合せて矩形形状の枠体を構成し、前記縦枠の外側面に、所定のフィルム止め手段により外側樹脂フィルムを張設するとともに、前記骨部材の内側面には、長手方向へ伸延する溝孔部を形成し、この溝孔部に、当該溝孔部との間で前記樹脂フィルムを挟圧保持するフィルム押さえ板を取付けて内側樹脂フィルムを張設してフィルム二重張り構造とした。
【０００９】
（２）請求項２記載の本発明は、請求項１記載のビニルハウス用扉において、前記内側樹脂フィルムが張設された骨部材を、前記枠体を構成する縦枠としたことを特徴とする。
【００１０】
（３）請求項３記載の本発明は、請求項１又は２に記載のビニルハウス用扉において、前記フィルム押さえ板は、前記溝孔部に嵌まり込む一対の脚片部と、同脚片部の基端同士を連接するとともに、各脚片部の外側方へ先端を伸延させたカバー部とを有し、前記脚片部に、前記溝孔部の側縁に形成され、前記骨部材の内部側に突出する凸状端縁に係合する係合部を形成したことを特徴とする。
【００１１】
（４）請求項４記載の本発明は、請求項３記載のビニルハウス用扉において、前記カバー部の左右縁部に、先端をそれぞれ外側方へ伸延させた第１伸延端部と第２伸延端部を形成し、前記第２伸延端部を前記カバー部の中心よりも高く段状に形成するとともに、前記第１伸延端部よりも長く形成したことを特徴とする。
【００１２】
（５）請求項５記載の本発明は、請求項３又は４に記載のビニルハウスにおいて、前記フィルム押さえ板のカバー部は、当該フィルム押さえ板を前記骨部材の内側面に形成した溝孔部に嵌合した状態で、前記内側面からの突出厚みを０．５〜２．０ｍｍの範囲内に収めたことを特徴とする。
【発明の効果】
【００１３】
本発明によれば、従来フィルム二重張り構造とすることが難しかったビニルハウス用扉を、容易かつ安価にフィルム二重張り構造とすることができ、ハウスの断熱効果をより高めることができる。
【発明を実施するための最良の形態】
【００１４】
本発明は、ビニルハウスの出入口にスライド自在に取付けられるビニルハウス用扉であって、骨部材を組合せて矩形形状の枠体を構成し、前記縦枠の外側面に、所定のフィルム止め手段により外側樹脂フィルムを張設するとともに、前記骨部材の内側面には、長手方向へ伸延する溝孔部を形成し、この溝孔部に、当該溝孔部との間で前記樹脂フィルムを挟圧保持するフィルム押さえ板を取付けて内側樹脂フィルムを張設してフィルム二重張り構造としたものである。
【００１５】
すなわち、扉の外側面に張設される外側樹脂フィルムについては、風などの影響を直接受けることを考慮して、専用に設けられた所定のフィルム止め手段を用いて強固に張設する一方、扉の内側面に張設される内側樹脂フィルムについては、風などの影響が直接作用しないため、骨部材の内側面に長手方向へ伸延する溝孔部を形成し、この溝孔部に、当該溝孔部との間で前記樹脂フィルムを挟圧保持するフィルム押さえ板を取付けるという、比較的な簡便た構造で内側樹脂フィルムを張設するようにしている。
【００１６】
かかる構成により、扉自体を容易にフィルム二重張り構造とすることができるので、例えば、ビニルハウスの屋根麺部、側壁面部、妻面部などをフィルム二重張りとした場合であれば、本実施形態のように、扉までも容易に二重フィルム張り構造となすことができ、ハウス全体をフィルム二重張り構造とすることができるので、ハウス内の保温効果をより高めることができる。
【００１７】
また、例えば、扉以外にフィルム二重張り構造としたビニルハウスが構築されている場合、扉のみを本実施形態に係る扉に取り替えることで、低コストでビニルハウス全体のフィルム二重張り構造が実現できる。
【００１８】
かかるビニルハウス用扉において、前記内側樹脂フィルムが張設された骨部材を、前記枠体を構成する縦枠とすることができる。
【００１９】
すなわち、内側樹脂フィルムには風などが直接強く当たることがないので、縦枠のみに固着するだけでも十分であり、また、扉の構成もより簡単な構造となすことができ、コストダウンを図ることができる。
【００２０】
ところで、前記フィルム押さえ板は、前記溝孔部に嵌まり込む一対の脚片部と、同脚片部の基端同士を連接するとともに、各脚片部の外側方へ先端を伸延させたカバー部とを有し、前記脚片部に、前記溝孔部の側縁に形成され、前記骨部材の内部側に突出する凸状端縁に係合する係合部を形成した構成とするとよい。
【００２１】
すなわち、骨部材からなる縦枠の内側面に内側フィルムを被覆した状態で、上記構成のフィルム押さえ板を樹脂フィルムの上方から当該樹脂フィルムを溝孔内に押し込むようにして溝孔内に嵌合させて係止させることで、きわめて簡単に内側樹脂フィルムを扉内側に張設することができる。
【００２２】
また、前記カバー部の左右縁部に、先端をそれぞれ外側方へ伸延させた第１伸延端部と第２伸延端部を形成し、前記第２伸延端部を前記カバー部の中心よりも高く段状に形成するとともに、前記第１伸延端部よりも長く形成することが好ましい。
【００２３】
すなわち、それぞれがスライド自在な左右一対の扉を構成としたとき、左右の扉の内側に位置する縦枠同士は、扉を閉止すると互いに付き合った状態となる。この場合、上記構成とすることにより、一方の縦枠に装着した扉用フィルム押さえ板の第２伸延端部が他方の縦枠に装着した扉用フィルム押さえ板の第１伸延端部上に重なるようにすることができる。このように、一方の縦枠と他方の縦枠とが付き合う部位において、第１伸延端部と第２伸延部とを重合させることによって、扉を閉止したときに間隙が生じることを防止できるために、ビニルハウス内の気密性をより向上させることが可能となる。
【００２４】
また、前記フィルム押さえ板のカバー部は、当該フィルム押さえ板を前記骨部材の内側面に形成した溝孔部に嵌合した状態で、前記内側面からの突出厚みを０．５〜２．０ｍｍの範囲内に収めることが好ましい。
【００２５】
すなわち、フィルム押さえ板の骨部材表面からの突出量を可及的に小さくすることで、前記扉を妻面の内側面に沿ってスライドさせても、扉の枠とフィルム押さえ板との接触がなくなり、扉の開閉動作を円滑に行える。また、ビニルハウスの内側面において突出部分が現出されることを可及的に防止でき、見栄えも良好となる。
【００２６】
なお、ビニルハウスは、上述した扉を取り付ける妻面についてもフィルム二重張り構造とすることが望ましく、この場合は、上述してきた扉と同じような構成で妻面のフィルム二重張り構造が実現できる。
【００２７】
すなわち、妻面を構成する骨部材の外側面に、所定のフィルム止め手段により外側樹脂フィルムを張設するとともに、前記骨部材の内側面に、長手方向へ伸延する溝孔部を形成し、この溝孔部に、当該溝孔部との間で前記樹脂フィルムを挟圧保持するフィルム押さえ板を取付けて内側樹脂フィルムを張設し、前記骨部材の前後面にそれぞれ樹脂フィルムを張設するのである。
【００２８】
このように、簡易な構成で、ビニルハウスのフィルム二重張り構造を実現することができ、ハウス内の保温効果を高めて冬場などの暖房費の削減が図れ、かつ省エネルギにも寄与することができる。また、ハウス内部に突出部分が存在しないため、見栄えも良好であり、かつハウス内での作業性も向上する。
【００２９】
以下、本発明の好ましい実施形態について、図面を参照しながら、より具体的に説明する。図１は本実施形態に係るビニルハウス用扉を具備するビニルハウスの外観を表す説明図、図２は樹脂フィルムの二重張り構造を示す説明図、図３は内側樹脂フィルムを張設するためのフィルム押さえ板の説明図、図４（ａ），（ｂ）はフィルム押さえ板の取付け状態を示す説明図、図５は図４（ｂ）のＩ−Ｉ線における断面図である。
【００３０】
本実施形態に係るビニルハウス１は、少なくとも妻面１２をフィルム二重張り構造としたものであり、図１に示すように、複数のハウス構築用のパイプ状骨部材２を適宜個所で所定の緊締具により連結し、これらパイプ状骨部材２を組み合わせて構築した構造物に樹脂フィルムからなるビニルシート３を張設して構成している。図１中、２１はパイプ状骨部材２のうち、主に屋根部１０と側壁部１１とを形作るアーチ状パイプ材である。
【００３１】
ビニルシート３の構造物への基本的な張設方法としては、縦配置したパイプ状骨部材２,２・・間に、各骨部材２の外側面に、当該骨部材２と略直交するように、フィルム止め手段である複数のフィルム止め条材２３を上下方向に所定間隔をあけて略水平に架設しておき、各フィルム止め条材２３に形成された溝部２６にビニルシート３の一部を挿入し、挿入したビニルシート３の一部を押圧するように波形の線状スプリング２３ａを溝部２６内に装着して張設している。
【００３２】
かかるフィルム止め条材２３を用いることで、ビニルシート３を堅牢に張設することが可能であるが、より安全のため、通常、図示しない緊締バンドをビニルシート３の上から適宜箇所に張設して、ビニルシート３が風などの力を受けてフィルム止め条材２３から外れてしまうことがないようにしている。
【００３３】
本実施形態では、ビニルハウス１の少なくとも妻面１２において、当該妻面１２を構成するパイプ状骨部材２の一である縦柱２２の内側面に内側ビニルシート３１を、また、外側面に外側ビニルシート３２をそれぞれ張設して、妻面１２全体を二重フィルム張り構造とている。
【００３４】
なお、便宜的に内側ビニルシート３１及び外側ビニルシート３２としたが、両者は前記ビニルシート３と実質的に同じであり、材料となる樹脂フィルムは、所謂農業用フィルムであって、塩化ビニル系のフィルム（塩ビ系フィルム）や、ポリオレフィン系のフィルム（ＰＯ系フィルム）が好適に用いられる。なお、本実施形態では、塩ビ系フィルムよりも薄くて伸縮しにくく、かつ軽量でフィルム張りが楽であるＰＯ系フィルムを用いている。
【００３５】
また、図示するように、妻面１２の略中央位置には出入口１３が設けられており、この出入口１３には、本実施形態の要部をなす左右一対の扉４，４を、妻面１２の内側面に沿って左右にスライド自在に取付けている。なお、この扉４については後に詳述する。
【００３６】
図２〜図５に示すように、本実施形態におけるフィルム二重張り構造は、縦柱２２の外側面２２ａにフィルム止め条材２３を取付け、このフィルム止め条材２３により外側ビニルシート３２を張設するとともに、前記縦柱２２の内側面２２ｂに、長手方向へ伸延する溝孔部２４を形成し、この溝孔部２４に、当該溝孔部２４との間で内側ビニルシート３１を挟圧保持するようにフィルム押さえ板５を取付けて（図４参照）内側樹脂フィルムを張設し、前記妻面１２を、縦柱２２の前後面にビニルシート３（内側ビニルシート３１、外側ビニルシート３２）を張設している。
【００３７】
縦柱２２は、断面視略正方形となるように金属板を折曲形成したもので、図４に示すように、内側面２２ｂとなる一側面には、対向する一対の縁部２４ａ，２４ａを内部に折曲げて形成される溝孔部２４が設けられている。
【００３８】
この溝孔部２４には、フィルム押さえ板５が嵌合可能であり、このフィルム押さえ板５は、図３に示すように、前記溝孔部２４に嵌まり込む一対の脚片部５１，５１と、同脚片部５１の基端同士を連接するとともに、各脚片部５１の外側方へ先端を伸延させたカバー部５２とを有し、前記脚片部５１に、前記溝孔部２４の側縁に形成され、前記縦柱２２の内部側に突出する凸状端縁である前記縁部２４ａ，２４ａに係合する係合部５１ａを形成した構成となっている。図中、５２ａはカバー部５２の伸延端部である。なお、フィルム押さえ板５の長さについては適宜設定してよい。
【００３９】
かかる構成のフィルム押さえ板５を用いて、図４（ａ）に示すように、縦柱２２の内側面２２ｂに内側ビニルシート３１を被せた状態で、前記フィルム押さえ板５を内側ビニルシート３１の上方から溝孔部２４内に押し込むようにして、図４（ｂ）に示すように、前記係合部５１ａ，５１ａを、溝孔部２４内において前記縁部２４ａ，２４ａと係合させ、フィルム押さえ板５が溝孔部２４にしっかりと嵌合した状態で、前記伸延端部５２ａで内側ビニルシート３１を縦柱２２の内側面２２ｂとの間で押さえ込み、きわめて簡単に内側ビニルシート３１の張設が行える。
【００４０】
なお、本実施形態では、図５に示すように、外側ビニルシート３２を止めるためのフィルム止め条材２３を、縦柱２２の外側面２２ａにビス２５により取付けているが、専用の取付具を用いてもよい。
【００４１】
このようにして、ビニルハウス１の少なくとも妻面１２について、容易にフィルム二重張り構造を構築することができる。なお、同様な構成を用いて、妻面１２のみならず、屋根部１０や側壁部１１についてもフィルム二重張り構造となすことができる。
【００４２】
ところで、縦柱２２の他の形態として、図６に示す構成とすることもできる。これは、図示するように、縦柱２２の一側面に、前記フィルム止め条材２３と同等の機能を有し、略同形の断面形状を有するフィルム止め凹部２７を一体的に形成したものである。このフィルム止め凹部２７に前記線状スプリング２３ａを配設して、外側ビニルシート３２を、縦柱２２の外側面２２ａに張設することができる。
【００４３】
かかる構成とすれば、フィルム止め条材２３が不要であり、フィルム二重張り構造がより容易に構築できるとともに、外観的にも凸凹のないスマートな妻面１２の仕上がりとなすことができる。
【００４４】
図７に本実施形態の要部となるビニルハウス用扉（以下、単に「扉４」とする）を示している。
【００４５】
扉４は、妻面１２に形成した出入口１３を開閉するもので、左右一対で構成され、左右の各扉４は、それぞれ前記出入口１３の上部位置で妻面１２の内側に横架されたレール６にスライド自在に吊支されている。すなわち、扉４は妻面１２の内側面に沿って左右にスライドすることになる。図中、７は地面に設置され、扉４の下端をガイドするガイドレールである。
【００４６】
前記レール６は、妻面１２を構成する前記縦柱２２と同一部材からなり、本実施形態では、レール６と縦柱２２とを兼用している。したがって、ビニルハウス１を構築するための骨部材の種類を少なくすることができ、ハウス構築に関するコスト削減が可能となっている。
【００４７】
図７に示すように、扉４は、骨部材２を矩形枠状に組み付けて構成されている。すなわち、左右２本の縦枠２００と、上下２本の横枠２１０とから枠体を構成し、枠体内に、複数（ここでは３本）の桟体２２０を上下方向に所定間隔をあけて水平に取付けて構成している。なお、以下においては、扉４を閉止した状態で互いに付き合わされる縦枠２００について、第１縦枠２００ａと第２縦枠２００ｂと区別して説明する。
【００４８】
図８に扉４の縦枠２００の横断面図を示す。図示するように、縦枠２００は、外側面２０１にフィルム止め条材２３を取付けるための段部２０３を形成し、内側面全体に長手方向へ伸延する溝孔部２０４を形成している。２０５，２０５は、溝孔部２０４を形成する縁部であり、縦枠２００の内部側に折曲げて形成されている。
【００４９】
また、この縦枠２００の外側面２０１には、外側面２０１にフィルム止め凹部２７０を形成し、線状スプリング２３ａと協働して外側ビニルシート３２を張設可能としている。ここでは、フィルム止め凹部２７０と線状スプリング２３ａとでフィルム止め手段が構成されることになる。
【００５０】
一方、縦枠２００の内側面２０２の幅一杯に、前記縦柱２２と同様に長手方向へ伸延する溝孔部２０４を形成し、この溝孔部２０４に、当該溝孔部２０４との間で樹脂フィルムからなる内側ビニルシート３１を挟圧保持する扉用フィルム押さえ板５００を取付け可能としている。
【００５１】
このようにして、内側ビニルシート３１と外側ビニルシート３２とを張設することにより、扉４についてのフィルム二重張り構造が容易に実現できる。
【００５２】
図９は、扉用フィルム押さえ板の斜視図である。図示するように、扉用フィルム押さえ板５００は、前記溝孔部２０４に嵌まり込む一対の脚片部５１０，５１０と、同脚片部５１０の基端同士を連接するとともに、各脚片部５１０の外側方へそれぞれ先端を伸延させたカバー部５２０とを有し、前記脚片部５１０に、前記溝孔部２０４の側縁に形成され、前記縦枠２００の内部側に突出する凸状端縁である前記縁部２０５，２０５に係合する係合部５１１を形成している。また、カバー部５２の左右側には、それぞれ脚片部５１０の外側方へ伸延する第１伸延端部５１２と第２伸延端部５１３とが形成されており、この第２伸延端部５１３は、カバー部５２の中心よりも高く段状に形成され、なおかつ第１伸延端部５１２よりも長い伸延部が形成されている。なお、この扉用フィルム押さえ板５００の長さについても適宜設定して構わない。
【００５３】
図１０に、フィルム二重張り構造とした左右の扉４同士を突合せた状態を示している。扉４を閉じた場合、第１縦枠２００ａと第２縦枠２００ｂとが付き合わされた状態となるが、両者の各溝孔部２０４には、それぞれ扉用フィルム押さえ板５００を同じ向きにして装着している。
【００５４】
すなわち、図示するように、第１縦枠２００ａと第２縦枠２００ｂとが付き合わされたときに、第１縦枠２００ａに装着した扉用フィルム押さえ板５００の第２伸延端部５１３が、第２縦枠２００ｂに装着した扉用フィルム押さえ板５００の第１伸延端部５１２上に重なるようにしている。
【００５５】
このように、第１縦枠２００ａと第２縦枠２００ｂとが付き合う部位において、一方の扉４に配設された扉用フィルム押さえ板５００の第１伸延端部５１２と、他方の扉４に配設された扉用フィルム押さえ板５００の第２伸延端部５１３とお重合させることにより、扉４を閉止したときに、扉４，４間に間隙が生じることを防止できる。
【００５６】
したがって、ビニルハウス１の内部の気密性がより向上するため、フィルム二重張り構造とした効果を、扉４によって損なうおそれがなくなる。
【００５７】
このように、本実施形態に係るフィルム二重張り構造のビニルハウス１では、扉４までもフィルム二重張り構造としているので、ハウス内の保温効果及び断熱効果を、従来のフィルム二重張り構造のビニルハウスよりも高めることができる。
【００５８】
以上、本発明を実施形態を通して説明してきたが、本発明は実施形態で説明した構成に限定するものではない。
【００５９】
すなわち、本発明は、ビニルハウスの出入口にスライド自在に取付けられるビニルハウス用扉であって、骨部材を組合せて矩形形状の枠体を構成し、前記縦枠の外側面に、所定のフィルム止め手段により外側樹脂フィルムを張設するとともに、前記骨部材の内側面には、長手方向へ伸延する溝孔部を形成し、この溝孔部に、当該溝孔部との間で前記樹脂フィルムを挟圧保持するフィルム押さえ板を取付けて内側樹脂フィルムを張設してフィルム二重張り構造としたことを要旨とするものであり、その趣旨を逸脱することのない限り、前記骨部材やフィルム止め手段の具体的な構成は適宜設計変更が可能である。そして、これら設計変更した構成を含めて全て本発明に含まれることは当然である。
【図面の簡単な説明】
【００６０】
【図１】本実施形態に係るビニルハウスの外観を表す説明図である。
【図２】樹脂フィルムの二重張り構造を示す説明図である。
【図３】内側樹脂フィルムを張設するためのフィルム押さえ板の説明図である。
【図４】フィルム押さえ板の取付け状態を示す説明図である。
【図５】図４（ｂ）のＩ−Ｉ線における断面図である。
【図６】他の実施形態に係る縦柱の説明図である。
【図７】本実施形態に係るビニルハウス用扉を示す説明図である。
【図８】扉の縦枠の横断面図である。
【図９】扉用フィルム押さえ板の斜視図である。
【図１０】フィルム二重張り構造とした左右の扉同士を突合せた状態を示す説明図である。
【符号の説明】
【００６１】
１    ビニルハウス
２    パイプ状骨部材
３    ビニルシート
４    扉
５  フィルム押さえ板
６  レール
１２    妻面
１３    出入口
２２    縦柱
２２ａ    外側面
２２ｂ    内側面
２４    溝孔部
２４ａ    縁部
３１    内側ビニルシート
３２    外側ビニルシート
５１    脚片部
５１ａ    係合部
５２    カバー部
５２ａ    伸延端部
２００    縦枠
２０１    外側面
２０４    溝孔部
２０５    縁部
５００    扉用フィルム押さえ板
５１０    脚片部
５１１    係合部
５２０    カバー部
【図１】
2008005799.tif 000003
【図２】
2008005799.tif 000004
【図３】
2008005799.tif 000005
【図４】
2008005799.tif 000006
【図５】
2008005799.tif 000007
【図６】
2008005799.tif 000008
【図７】
2008005799.tif 000009
【図８】
2008005799.tif 000010
【図９】
2008005799.tif 000011
【図１０】
2008005799.tif 000012